(57)【要約】【課題】通話圏外において、またＧＰＳを利用して取得する位置情報が取得できない位置においても、特定のプロファイルに依存することなくスピーカマイクのパワーセービングを誤動作なく行う。【解決手段】待ち受け中は携帯無線機器２０のマイコン２１が、受信待ち受け信号のＲＳＳＩレベル（受信信号強度）とＧＰＳデータに基づく位置情報とを監視する。そして、マイコン２１は、これらのＲＳＳＩレベル（受信信号強度）とＧＰＳデータに基づく位置情報とに基づいて、基地局の無線機通話可能エリアの外（つまり圏外）に携帯無線機器２０が入ったことを検出したときは、スピーカマイクのパワーセーブ処理を行う。【選択図】図２
2015185966.tif 000002
【特許請求の範囲】
【請求項１】
音声データを送受信する機能を有する外部無線機器との間で、近距離無線通信により音声データを送受信する近距離通信手段と、
待ち受け時は基地局から無線送信される制御チャネルの信号を受信し、通話時は前記基地局を中継局として通話チャネルで自局と相手局との間で無線通信を行う無線通信手段と、
前記無線通信手段が、前記自局にとって基地局から有効な信号を受信している場合に、前記近距離通信手段に、音声データの送受信を可とさせる制御手段と、
を備える携帯無線機器。
【請求項２】
音声データを送受信する機能を有する外部無線機器との間で、近距離無線通信により音声データを送受信する近距離通信手段と、
待ち受け時は基地局から無線送信される制御チャネル信号を受信し、通話時は前記基地局を中継局として通話チャネルで自局と相手局との間で無線通信を行う無線通信手段と、
現在位置の位置情報を取得する位置情報取得手段と、
前記位置情報に基づき、前記無線通信手段により前記制御チャネルが受信可能な所定のエリア内に在圏するか否かの判定する位置情報判定手段と、
前記無線通信手段が、前記自局にとって基地局から有効な信号を受信している場合、もしくは前記位置情報判定手段が在圏と判定した場合に前記近距離通信手段に音声データの送受信を可とさせる制御手段と、
を備える携帯無線機器。
【請求項３】
前記制御手段は、前記無線通信手段が受信する制御チャネルの信号の信号強度が所定の値以下の場合に、前記近距離通信手段の音声データの送受信を不可とすることを特徴とする請求項１に記載の携帯無線機器。
【請求項４】
前記制御手段は、前記無線通信手段が受信する制御チャネルの信号の信号強度が所定の値以下の場合かつ、前記位置情報判定手段が在圏でない場合に、前記近距離通信手段の音声データの送受信を不可とすることを特徴とする請求項２に記載の携帯無線機器。
【請求項５】
携帯無線機器が、前記携帯無線機器間の中継を行う基地局から送信される制御チャネルの信号を自局にとって有効な信号であると判定した場合に、前記携帯無線機器に近距離無線通信手段により接続された音声データを送受信する外部無線機器との音声データの送受信を可とする無線通信方法。
【請求項６】
携帯無線機器が、前記携帯無線機器間の中継を行う基地局から送信される制御チャネルの信号を自局にとって有効な信号であると判定した場合、もしくは位置情報を測位した結果が前記基地局からの制御チャネルの信号を得ることが可能とされる範囲と判定した場合に、前記携帯無線機器に近距離無線通信手段により接続された音声データを送受信する外部無線機器との音声データの送受信を可とする無線通信方法。
【発明の詳細な説明】
【技術分野】
【０００１】
本発明は携帯無線機器及び無線通信方法に係り、特にバッテリー駆動のスピーカマイクとの間でブルートゥース(Bluetooth（登録商標）)通信可能で、かつ、スピーカマイクと共に移動可能な携帯無線機器及び無線通信方法に関する。
【背景技術】
【０００２】
バッテリー駆動のスピーカマイク（あるいはヘッドセット）との間でブルートゥース通信可能で、かつ、スピーカマイクと共に移動可能な携帯無線機器のうち、相手局と単信（半二重）方式で通信を行う携帯無線機器では、スピーカマイクで集音したユーザの送話音声をブルートゥース通信により携帯無線機器へ送信し、更にその携帯無線機器から中継局を介して相手局へ無線送信する。このとき相手局は受信状態となっている。一方、相手局が送信状態のときは携帯無線機器は受信状態に切り替えられ、相手局から無線送信された送話音声が中継局を介して携帯無線機器で受信され、更にその受信音声信号がブルートゥース通信によりスピーカマイクへ送信されてスピーカマイクで受信及び発音される。
【０００３】
このような単信（半二重）方式で音声通信を行うスピーカマイクを備える携帯無線機器のうち業務用途のものは、送信の開始におけるＰＴＴ(Push To Talk)スイッチを操作した直後にユーザが通話を開始してしまうことから、ＰＴＴスイッチの操作から送信状態とされ、実際に変調が可能となるまでのアタックタイムが規定されている。また、受信においても、携帯電話機のように呼出し後に通話操作により受話音声が出力されるわけではなく、いきなり受話音声が出力される。
【０００４】
そのため、このような業務用途のスピーカマイクを備える携帯無線機器においては、通話圏内において音声通信は常に可としていることが望ましく、ブルートゥースプロファイルはヘッドセットプロファイル（ＨＳＰ）が使用される。そのため、スピーカマイクのバッテリーセービングは行っていない。
【０００５】
また、業務用途のスピーカマイクを備える携帯無線機器においては、従来は通話圏外においても無線通信の送信・受信を制御する必要がないにもかかわらず、バッテリーで駆動するスピーカマイクのバッテリーセービングは行っていない。このため、従来の業務用途のスピーカマイクを備える携帯無線機器においては、常にバッテリー駆動のスピーカマイクの電力が消費されてしまい、バッテリーの寿命が短いという問題がある。
【０００６】
そこで、スピーカマイクの消費電力低減のために、ブルートゥースプロファイルのハンズフリープロファイル（ＨＦＰ）などを用いて、通話時以外はパワーセービングを行う方法が考えられる。
【０００７】
また、スピーカマイクの消費電力低減のために、特許文献１に記載されているような従来公知の移動端末装置の消費電力低減方法を適用することも考えられる。特許文献１記載の従来の移動端末装置の消費電力低減方法は、機能がオンの状態で予め決められた所定期間不使用の状態が継続すると機能をオフにすることを決定し、そのときの移動端末装置の位置と電力使用状態とを登録する。そして、登録した位置において、登録してある電力使用状態となるように制御し、使用しない機能のオフにより無駄な消費電力を低減する。移動端末装置の位置は全地球測位システム（ＧＰＳ：Global Positioning System）を用いた公知の方法で取得する。
【先行技術文献】
【特許文献】
【０００８】
【特許文献１】特開２０１２−２４９１０２号公報
【発明の概要】
【発明が解決しようとする課題】
【０００９】
しかしながら、ブルートゥースプロファイルのハンズフリープロファイル（ＨＦＰ）を用いてスピーカマイクのパワーセービングを行う方法は、ＨＦＰが携帯電話機（スマートフォンなど）向けに用意されたプロファイルのため、通話操作によりアクティブになる。そのため、ＰＴＴスイッチ操作直後にブルートゥースの通信をアクティブにしても、通話の音声が頭切れを起こしてしまうという問題がある。
【００１０】
一方、特許文献１記載の従来の移動端末装置の消費電力低減方法をスピーカマイクのパワーセービングに適用した場合は、ＧＰＳを構成する人工衛星からの電波を受信できない屋内やビル陰などでは位置情報を取得できないため、誤動作の原因となる。
【００１１】
本発明は以上の点に鑑みなされたもので、通話圏外において、またＧＰＳを利用して取得する位置情報が取得できない位置においても、特定のプロファイルに依存することなくスピーカマイクのパワーセービングを誤動作なく行い得る携帯無線機器及び無線通信方法を提供することを目的とする。
【課題を解決するための手段】
【００１２】
上記の目的を達成するため、本発明の携帯無線機器は、音声データを送受信する機能を有する外部無線機器との間で、近距離無線通信により音声データを送受信する近距離通信手段と、待ち受け時は基地局から無線送信される制御チャネルの信号を受信し、通話時は前記基地局を中継局として通話チャネルで自局と相手局との間で無線通信を行う無線通信手段と、無線通信手段が、前記自局にとって基地局から有効な信号を受信している場合に、前記近距離通信手段に、音声データの送受信を可とさせる制御手段と、
を備える。
【００１３】
また、上記の目的を達成するため、本発明の無線通信方法は、携帯無線機器が、携帯無線機器間の中継を行う基地局から送信される制御チャネルの信号を自局にとって有効な信号であると判定した場合に、携帯無線機器に近距離無線通信手段により接続された音声データを送受信する外部無線機器との音声データの送受信を可とする。
【発明の効果】
【００１４】
本発明によれば、通話圏外において、またＧＰＳを利用して取得する位置情報が取得できない位置においても、特定のプロファイルに依存することなくスピーカマイクのパワーセービングを誤動作なく行うことができる。
【図面の簡単な説明】
【００１５】
【図１】本発明の携帯無線機器及び無線通信方法が適用される無線通信システムの一例の概略システム構成図である。
【図２】図１中の携帯無線機器の一実施の形態のブロック図である。
【図３】図１中のスピーカマイクの一例のブロック図である。
【図４】本発明の携帯無線機器とスピーカマイクの動作説明用シーケンス図である。
【図５】図４の要部の各動作の説明用フローチャートである。
【図６】パワーセーブ判定回路の一例の論理図である。
【発明を実施するための形態】
【００１６】
次に、本発明の一実施の形態について図面を参照して説明する。
【００１７】
図１は、本発明になる携帯無線機器及び無線通信方法が適用される無線通信システムの一例の概略システム構成図を示す。同図において、無線通信システム１００は、基地局１０の無線機通話可能エリア１に在圏する本発明の携帯無線機器２０−１、２０−２、２０−３との間で基地局１０を中継局として相互に通信可能なシステムであり、単信（半二重）方式で音声通信を行うものとする。また、携帯無線機器２０−１、２０−２、２０−３はそれぞれ移動可能である。
【００１８】
図１では携帯無線機器２０−１が移動可能なバッテリー駆動の外部無線機器であるスピーカマイク３０との間でブルートゥース通信可能で、それぞれ２０’、３０’で示すように携帯無線機器２０−１がスピーカマイク３０と共に無線機通話可能エリア１の外に移動した様子を示している。更に、図１に示すように、携帯無線機器２０−１、２０−２、２０−３は、無線機通話可能エリア１の内部あるいは外部のどちらに位置していても、ＧＰＳの一部を構成する人工衛星（以下、ＧＰＳ衛星）５により中継送信されたＧＰＳ信号を受信して位置情報を取得する機能を有している。
【００１９】
また、無線通信システム１００は、携帯無線機器２０−１、２０−２、２０−３が、待ち受け時に常に基地局１０からの制御チャネル（ｃｈ）を受信しているトランキング方式で通信を行う無線通信システムである。
【００２０】
トランキング方式の無線通信システム１００では、各携帯無線機器は基地局１０を介して制御ｃｈにて呼出を行い、自局と共に相手無線機器も空いている通話チャネル（ｃｈ）に移行して通話を行う。通話ｃｈ移行後、単信では携帯無線機器２０−１、２０−２、２０−３のいずれか一のユーザが送信し、他の者（複数可）が受信をする。従って、無線機通話可能エリア１に在圏する携帯無線機器２０−１、２０−２、２０−３のグループで、携帯無線機器２０−１と２０−２との間で基地局１０を中継局として交互に通話しているときでも、携帯無線機器２０−３が携帯無線機器２０−１と２０−２との間の通話の内容を傍受できる。
【００２１】
その際、携帯無線機器２０−１が送信を止め、携帯無線機器２０−２が送信する間があっても、基地局１０からの送信は停止していないので、受信信号が途絶えることはない。だれも送信していない状態が続くと、基地局１０は中継を停止する。携帯無線機器２０−１、２０−２、２０−３は、基地局１０からの通話ｃｈの信号が無くなると、制御ｃｈを探し、制御ｃｈを受信する。
【００２２】
次に、本発明の携帯無線機器の構成について説明する。図２は、本発明になる携帯無線機器の一実施形態のブロック図を示す。携帯無線機器２０−１、２０−２及び２０−３は同一構成であるので、これらを総称して携帯無線機器２０として説明する。
【００２３】
図２のブロック図に示すように、携帯無線機器２０は、マイクロコンピュータ（以下、マイコンと略す）２１が、ブルートゥース回路部２２、及びベースバンド処理部２５との間で双方向の通信可能で、またＧＰＳ回路部２３からのＧＰＳデータやＰＴＴ回路２６からの送信制御信号を受け、表示部２７に対して表示データを供給することで、携帯無線機器２０を統括的に制御する構成である。また、マイコン２１は、ブルートゥース回路部２２、ＧＰＳ回路部２３、無線回路部２４、ベースバンド処理部２５、ＰＴＴ回路２６及び表示部２７と共にバッテリー２８から電力供給を受けて動作する。
【００２４】
ブルートゥース回路部２２は、本発明の近距離通信手段を構成しており、スピーカマイク３０との間でブルートゥース通信を行うための回路部で、スピーカマイク３０が送信したスピーカマイク通信データを受信してマイコン２１へ供給する。また、ブルートゥース回路部２２は、携帯無線機器２０がスピーカマイク３０へ送信するデータをマイコン２１から供給されてブルートゥース通信のための所定の信号形態に変換した後スピーカマイク３０へ送信する。
【００２５】
ＧＰＳ回路部２３は、本発明の位置情報取得手段を構成しており、ＧＰＳ衛星５からのＧＰＳ信号を受信してＧＰＳデータに変換し、マイコン２１に供給する。マイコン２１は供給されたＧＰＳデータに基づいて、公知の位置情報判定アルゴリズム解析を行い携帯無線機器２０の現在位置（緯度、経度）を算出し、更にその現在位置が登録してある無線機通信可能エリアのテーブルを参照して、携帯無線機器２０が無線機通信可能エリア１のエリア内であるか否かを判定する。無線回路部２４は基地局１０から直接に無線送信された制御ｃｈの無線信号、あるいは基地局１０を中継局として相手局から通話ｃｈにて無線送信された音声信号を受信して例えば所定の中間周波数の無線音声データに変換してベースバンド処理部２５に供給する。
【００２６】
ベースバンド処理部２５は、無線回路部２４とともに本発明の無線通信手段を構成しており、供給された無線音声データをベースバンド信号に変換して公知の処理を行い、処理後の信号をマイコン２１に供給する。マイコン２１は、ベースバンド処理部２５から供給された入力信号が表示信号の場合は表示データに変換して表示部２７に供給して表示させ、入力信号が音声データの場合はブルートゥース回路部２２に供給してブルートゥース通信のための所定の信号形態に変換させた後スピーカマイク３０へ送信させてスピーカ部で発音させる。
【００２７】
また、マイコン２１は、ベースバンド処理部２５から供給された入力信号から受信電界強度（ＲＳＳＩデータ）を取得する。更に、マイコン２１はＰＴＴスイッチ操作によりＰＴＴ回路２６から送信制御信号が供給された時は、スピーカマイク３０のマイク部で集音してブルートゥース通信により送信された送話音声データがブルートゥース回路部２２を通して供給され、その送話音声データをベースバンド処理部２５及び無線回路部２４を通して相手局へ無線送信する。表示部２７はスピーカマイク３０の制御状況を表示する。マイコン２１は本発明の演算手段、切断要求送信手段、位置情報判定手段を構成している。
【００２８】
次に、スピーカマイクの構成について説明する。図３は、スピーカマイクの一実施の形態のブロック図を示す。同図において、スピーカマイク３０は、マイコン３１、ブルートゥース回路部３２、オーディオ回路３３、ＰＴＴ回路３４及び表示部３５を有し、これらがバッテリー３６から電力供給を受けて動作する構成であり、更に図示は省略したがスピーカ部とマイク部も有している。
【００２９】
ブルートゥース回路部３２は、携帯無線機器２０との間でブルートゥース通信を行い、携帯無線機器２０から送信された信号（受話音声データや各種要求）を受信してマイコン３１へ供給し、マイコン３１から供給された送話音声信号を携帯無線機器２０へ送信する。
【００３０】
マイコン３１は、ブルートゥース回路部３２から供給された信号が受話音声データのときは、オーディオ回路３３によりアナログ信号の受話音声信号に変換させてスピーカ部により音声として発音させる。また、マイコン３１は、ブルートゥース回路部３２から供給された信号が各種要求のときはその要求に応じた所定の処理を行う。更に、マイコン３１は、ＰＴＴスイッチ操作によりＰＴＴ回路３４から送信制御信号が供給された時は、スピーカマイクのマイク部で集音された送話音声信号をオーディオ回路３３により変換して得られたデジタル信号の音声データが供給され、この音声データをブルートゥース回路部３２に供給して携帯無線機器２０へ送信させる。また、マイコン２１は、表示データを表示部３５に供給して表示させる。表示部３５は、スピーカマイクの制御状況などを表示する。
【００３１】
次に、本発明になる携帯無線機器の動作について詳細に説明する。
【００３２】
図４は、本発明になる携帯無線機器とスピーカマイクの動作説明用シーケンス図を示す。同図においては、主として図２の携帯無線機器２０内のマイコン２１及びブルートゥース回路部２２と、図３のスピーカマイク３０内のブルートゥース回路部３２とマイコン３１との動作を示す。
【００３３】
まず、待ち受け中の動作について説明する。待ち受け中は前述したように携帯無線機器２０は基地局１０から常に制御ｃｈで送信されている待ち受け信号を受信して無線回路部２４及びベースバンド処理部２５を介してマイコン２１に供給する。また、ＧＰＳ回路部２３からＧＰＳデータがマイコン２１に供給されている。これにより、待ち受け中は携帯無線機器２０のマイコン２１が、受信待ち受け信号のＲＳＳＩレベル（受信信号強度）とＧＰＳデータに基づく位置情報とを監視する（ステップＳa1）。そして、マイコン２１は、これらのＲＳＳＩレベル（受信信号強度）とＧＰＳデータに基づく位置情報とに基づいて、基地局の無線機通話可能エリア（図１の１）の外（つまり圏外）に携帯無線機器２０が入ったことを検出したときは、スピーカマイクのパワーセーブ処理を行う（ステップＳa2）。
【００３４】
この待ち受け中のステップＳa1及びＳa2の処理について図５（Ａ）と共に更に詳細に説明する。まず、待ち受け状態にてマイコン２１が受信待ち受け信号のＲＳＳＩレベル（受信信号強度）が閾値以下であるか否かを監視する（ステップＳ２１；図４のステップＳa1に相当）。閾値以下であるときは、続いてマイコン２１はＧＰＳ機能がアクティブか否かを判定する（ステップＳ２２）。すなわち、ステップＳ２２では、マイコン２１が、ユーザが携帯無線機器のＧＰＳ機能を利用する操作をしているときはアクティブ（有効）と判定し、ＧＰＳ機能を利用していないときは非アクティブ（無効）と判定する。
【００３５】
ステップＳ２２で無効と判定したときは、マイコン２１はステップＳ１１で受信待ち受け信号のＲＳＳＩレベル（受信信号強度）が閾値以下であるとの判定結果をもって制御ｃｈが受信できないから圏外であると判断して、スピーカマイク３０のパワーセーブ処理を行う（ステップＳ２４：図４のステップＳa2に相当）。
【００３６】
一方、ステップＳ２２で有効と判定したときは、マイコン２１はＧＰＳデータに基づいて算出した位置情報で例えば無線機通話可能エリアの登録テーブルを参照して、算出した位置情報が無線機通話可能エリア内であるか否か（すなわち、圏内であるか否か）を判定する（ステップＳ２３）。圏内の位置情報を取得できたときはステップＳ２１に戻って再び待ち受け信号のＲＳＳＩレベル（受信信号強度）が閾値以下であるかどうかを監視する。この場合は、携帯無線機器２０は例えばビル陰などで制御ｃｈを受信できないが、ＧＰＳデータから自局が無線機通話可能エリア１内に在圏すると判断し、再び制御ｃｈを受信できる可能性があると判断してステップＳ２１の処理を続行する。
【００３７】
しかし、マイコン２１は算出した位置情報が無線機通話可能エリア外（すなわち、圏外）であるとステップＳ２３で判定した時は、スピーカマイク３０のパワーセーブ処理を行う（ステップＳ２４：図４のステップＳa2に相当）。すなわち、ステップＳ２２で有効と判定したときは、マイコン２１は受信待ち受け信号のＲＳＳＩレベル（受信信号強度）が閾値以下で、かつ、位置情報が圏外を示しているときには、スピーカマイク３０のパワーセーブ処理を実行する。この場合は、携帯無線機器２０は送信・受信機能が失われた状態であり、携帯無線機器２０の送信トリガー（送話ボタン等）・通話等を制御するスピーカマイク３０が動作可能状態にあっても意味がなく、消費電力を低減するためである。
【００３８】
再び図４に戻って説明する。マイコン２１はパワーセーブ処理を行う場合（ステップＳa2）、切断要求を出力する。ブルートゥース回路部２２はそれまでの待ち受け動作（ステップＳb1）に続いて、マイコン２１からの切断要求をスピーカマイク３０へ送信する（ステップＳb2）。スピーカマイク３０のブルートゥース回路部３２は、それまでの待ち受け動作（ステップＳc1）に続いて、上記切断要求を受信すると（ステップＳc2）、マイコン３１に対しそれまでの待ち受け動作（ステップＳd1）から、パワーセーブモード処理に割り込み処理にて実行させる（ステップＳd2）。これにより、スピーカマイク３０はバッテリー３６からの電力供給を遮断するパワーセーブモードとなる（ステップＳd3）。
【００３９】
スピーカマイク３０のパワーセーブモード期間では、ブルートゥース回路部２２及び３２は接続要求待ちの状態となる（ステップＳb3、Ｓc3）。また、携帯無線機器２０のマイコン２１は今度は、待ち受け信号のＲＳＳＩレベル（受信信号強度）とＧＰＳデータから算出した位置情報とに基づいて、基地局の無線機通話可能エリア（図１の１）の内側（つまり圏内）に携帯無線機器２０が入ったかどうかを監視し（ステップＳa3）、圏内を検出したときは、スピーカマイク３０のパワー復帰処理を行い（ステップＳa4）、接続要求を出力する。
【００４０】
このステップＳa3及びＳa4の処理について図５（Ｂ）と共に更に詳細に説明する。まず、携帯無線機器２０の待ち受け状態にてマイコン２１が受信待ち受け信号のＲＳＳＩレベル（受信信号強度）が閾値以上であるか否かを監視する（ステップＳ４１）。閾値以上であるときは、スピーカマイク３０のパワー復帰処理を行う（ステップＳ４４：図４のステップＳa4に相当）。
【００４１】
再び図４に戻って説明する。マイコン２１はパワー復帰処理を行う場合（ステップＳa4）、接続要求を出力する。ブルートゥース回路部２２はそれまでのパワーセーブモード動作（ステップＳb3）に続いて、マイコン２１からの接続要求をスピーカマイク３０へ送信する（ステップＳb4）。スピーカマイク３０のブルートゥース回路部３２は、それまでのパワーセーブモード動作（ステップＳc3）に続いて、上記接続要求を受信すると（ステップＳc4）、マイコン３１に対しそれまでのパワーセーブモード動作（ステップＳd3）から、パワー復帰処理に割り込み処理にて実行させる（ステップＳd4）。
【００４２】
これにより、スピーカマイク３０はバッテリー３６からの電力供給を再び開始し待ち受け状態となる（ステップＳd5）。また、ブルートゥース回路部２２及び３２も待ち受け状態となり（ステップＳb5及びＳc5）、マイコン２１は再び受信待ち受け信号のＲＳＳＩレベル（受信信号強度）とＧＰＳデータに基づく位置情報とを監視する（ステップＳa5）。
【００４３】
このように、本実施の形態の携帯無線機器２０は、待ち受け中は、ビル陰等によって制御ｃｈの待ち受け信号のＲＳＳＩレベルが閾値以下で待ち受け信号が受信できないと判定された場合でも、ＧＰＳデータに基づく位置情報が圏内を示している場合はスピーカマイク３０との接続を維持する。また、ステップＳ４１で制御ｃｈの待ち受け信号のＲＳＳＩレベルが閾値以上で制御ｃｈが受信できたと判定した場合は、携帯無線機器２０が建物内にあってＧＰＳ信号を受信できない場合であるか、あるいは、圏外であっても反射等により待ち受け信号が受信できたと判断して送信・受信の可能性があるのでスピーカマイク３０との接続を維持する。
【００４４】
また、待ち受け信号のＲＳＳＩレベルにより在圏の判定を行うこととして説明をしたがこれに限らず、待ち受け信号に対する同期の確立の有無、待ち受け信号のＢＥＲ（Bit Error Ratio）が所定の閾値以下であるか否か、といった自局にとって有効な信号を受信しているか否かにより在圏の判定としてもよい。
【００４５】
次に、受信中の動作について説明する。
【００４６】
受信中とは、トランキング方式の無線システムで説明したように、制御ｃｈにて待ち受けている状態で相手局から制御ｃｈでの呼び出しを受信し、通話ｃｈに移動した後に相手局からの音声信号を受信している状態である。そのためスピーカマイク３０のパワーセーブ処理を行わない。
【００４７】
またトランキング方式では、通話ｃｈの信号が、所定時間以上途絶えた場合には、制御ｃｈに戻り、待ち受け状態となる。
【００４８】
ブルートゥース回路部２２は受信音声データをスピーカマイク３０へ送信する。スピーカマイク３０のブルートゥース回路部３２は携帯無線機器２０から送信された音声データを受信してマイコン３１へ供給する。マイコン３１は、入力音声データをオーディオ回路３３を通してスピーカ部により受話音声として発音させる。
【００４９】
次に、送信中の動作について説明する。
【００５０】
トランキング方式では、送信開始時において、制御ｃｈの信号、もしくは通話ｃｈの信号を受信していないと、携帯無線機器２０は送信状態とならないことから、スピーカマイク３０はパワーセーブ状態では無いことが前提である。送信中も受信中の処理と同様にスピーカマイク３０のパワーセーブ処理は行わない。
【００５１】
基地局１０は、携帯無線機器２０が送信を終了し相手局からの応答の音声通話が無く所定の時間経過した場合は、基地局は中継処理を終了する。携帯無線機器２０は、通話ｃｈでの信号が無くなると、制御ｃｈに戻り、待ち受け状態となる。
【００５２】
送話音声はスピーカマイク３０のマイク部で集音されてオーディオ回路３３を通してマイコン３１に送話音声データとして供給される。マイコン３１はこの送話音声データをブルートゥース回路部３２に供給して携帯無線機器２０へ送信させる。ブルートゥース回路部２２はブルートゥース回路部３２から送信された送話音声データを受信し、マイコン２１へ供給する。マイコン２１は携帯無線機器２０のＰＴＴスイッチの押下期間中、ブルートゥース回路部２２からの送話音声データをベースバンド処理部２５及び無線回路部２４を通して所定の信号形態に変換して送信させる。
【００５３】
引き続きマイコン３１への音声入力、ブルートゥース回路部３２の送話音声データ送信、ブルートゥース回路部２２の送話音声データの受信、マイコン２１による入力送話音声データのベースバンド処理部２５への出力が送信期間中行われる。その後、送話が終了すると、マイコン３１、ブルートゥース回路部３２、ブルートゥース回路部２２は待ち受け状態となり、携帯無線機器２０のＰＴＴスイッチの押下が終了し携帯無線機器２０は受信モードに切り替わる。
【００５４】
なお、マイコン１２によるスピーカマイク３０のパワーセーブ処理の判定はソフトウェア処理に限らず、図６に示すロジック回路で構成することもできる。図６は、パワーセーブ判定回路の一例の回路図を示す。同図において、パワーセーブ判定回路４０は、２入力ＡＮＤ回路４１、２入力ＯＲ回路４２及び４３から構成されている。２入力ＡＮＤ回路４１は、マイコン２１によりＧＰＳデータから算出された位置情報が圏内を示しているとき“Ｈ”レベル、圏外を示しているとき“Ｌ”レベルの判定信号と、ＧＰＳ機能をオンしたとき（有効としたとき）“Ｈ”レベル、オフとしたとき“Ｌ”レベルのＧＰＳ機能判定信号との論理積信号を出力する。
【００５５】
２入力ＯＲ回路４２は、一方の入力端子に供給される信号と他方の入力端子に供給されるＡＮＤ回路４１の出力信号と論理和をとった信号を出力する。２入力ＯＲ回路４２の一方の入力端子には、制御chの受信待ち受け信号のＲＳＳＩが閾値以上のとき“Ｈ”レベル、閾値以下のとき“Ｌ”レベルのＲＳＳＩ判定信号が入力される。
【００５６】
２入力ＯＲ回路４３は一方の入力端子に、携帯無線機器２０が送信中のときは“Ｈ”レベル、待ち受け中または受信中のときには“Ｌ”レベルのモード判別信号が供給され、他方の入力端子に供給されるＯＲ回路４２の出力信号との論理和をとった信号をパワーセーブモード信号として出力する。パワーセーブモード信号は、“Ｌ”レベルのときパワーセーブモードを示し、“Ｈ”レベルのときは通常動作を示す。従って、ＯＲ回路４３は、携帯無線機器２０が待ち受け中の場合において、ＧＰＳ機能がオフのときは待ち受け信号が閾値以下の場合にパワーセーブモードを示す信号を出力する。また、ＯＲ回路４３は、携帯無線機器２０が待ち受け中の場合において、ＧＰＳ機能がオンのときは上記条件に加えてＧＰＳデータに基づく位置情報が圏外を示しているときにパワーセーブモードを示す信号を出力する。
【００５７】
このように、本実施形態の携帯無線機器２０によれば、受信待ち受け信号のＲＳＳＩレベル（受信信号強度）等の基地局１０からの信号を受信することにより得られる情報と、受信ＧＰＳデータから得た位置情報と基づいて、携帯無線機器２０が無線機通話可能エリア１内に在圏するか否かを正確に求め、待ち受け中に無線機通話可能エリア１の範囲外に在るときは、ブルートゥース通信により音声信号を送受信するスピーカマイクのバッテリーによる電力供給を遮断するパワーセーブを行う。また、パワーセーブモードに制御している携帯無線機器が無線機通話可能エリア１内に入ったと上記２つの情報のいずれか一以上の情報に基づいて判定したときは、スピーカマイクをバッテリーで駆動するパワーモードに復帰させる。
【００５８】
このため、本実施形態の携帯無線機器２０によれば、ブルートゥースのプロファイルに依存することなく、またシリアル通信プロファイルを用いてパワーセービングコマンドを発行したり、ハンズフリープロファイルを用いたりする必要なく、パワーセービングを実現できる。また、本実施の形態でパワーセーブ及びパワー復帰に実際に使用するコマンドは、切断要求と接続要求のみであるため、通話送信要求などのトリガーなども必要とせず、自端末のみで自動でパワーセービングを実現することができる。
【００５９】
更に、本実施の形態によれば、受信待ち受け信号のＲＳＳＩレベル（受信信号強度）等の基地局１０からの信号を受信することにより得られる情報と、受信ＧＰＳデータから得た位置情報とのうち二以上の情報を併用することで、ＧＰＳ信号のみを使用したパワーセービングで課題となっていた屋内やビル陰での位置判定の精度の問題を解決し、誤動作を防ぐことができる。
【００６０】
なお、本発明は以上の実施の形態に限定されるものではなく、例えば携帯無線機器とスピーカマイクとの間の通信は、ＷｉＦｉその他のブルートゥース以外の近距離無線通信方式を適用することもできる。
【符号の説明】
【００６１】
１  無線機通話可能エリア
５  ＧＰＳ衛星
１０  基地局
２０、２０−１、２０−２、２０−３、２０’  携帯無線機器
２１、３１  マイクロコンピュータ（マイコン）
２２、３２  ブルートゥース回路部
２３  ＧＰＳ回路部
２４  無線回路部
２５  ベースバンド処理部
２６、３４  ＰＴＴ回路
２７、３５  表示部
２８、３６  バッテリー
３０、３０’  スピーカマイク
３３  オーディオ回路
【図１】
2015185966.tif 000003
【図２】
2015185966.tif 000004
【図３】
2015185966.tif 000005
【図４】
2015185966.tif 000006
【図５】
2015185966.tif 000007
【図６】
2015185966.tif 000008